(57)【要約】【課題】ドア付き岩盤浴個室において、ドアトラブル等により利用者が閉じこめられたときに、利用者が簡単に脱出できる岩盤浴個室を提供する。【解決手段】閉じこめられたときには、図（ｂ）に示すように、利用者８０は腕を延ばして中央天井パネル６３を押し上げる。すると、中央タガ７３と共に中央天井パネル６３が押し上げられる。次に、利用者８０は、図（ｃ）に示すように、左タガ７４と共に左天井パネル６４を跳ね上げる。さらに、利用者８０は、想像線で示すように、奥小壁５２Ｌを引き上げることができる。以上により、利用者８０は、岩盤浴個室１０から脱出することができる。【選択図】図７
2020056193.tif 000002
【特許請求の範囲】
【請求項１】
床と、この床から起立する側壁と、この側壁の上端に渡した天井とからなり、前記側壁に開閉可能なドアを備え、前記床に岩盤部及びこの岩盤部を適温に保つ電熱ヒータを備え、前記ドアから入室した利用者は前記岩盤部に身体の一部を接触させることで発汗が促される岩盤浴個室において、
前記天井は、前記利用者の突き上げ作用で前記側壁から外れるように、前記側壁に嵌められていることを特徴とする岩盤浴個室。
【請求項２】
請求項１記載の岩盤浴個室であって、
前記側壁は、前記床から上に外れるように、前記床に嵌められており、且つ
前記ドアを備える前壁と、この前壁の左端から延びる左壁と、前記前壁の右端から延びる右壁と、この右壁の奥及び前記左壁の奥とに渡した奥壁とからなり、
前記前壁と前記左壁と前記右壁と前記奥壁とは、分離できるように、互いに嵌められていることを特徴とする岩盤浴個室。
【請求項３】
請求項２記載の岩盤浴個室であって、
使用中に、前記前壁及び前記奥壁から前記左壁及び前記右壁が分離することを防止するタガ部材を備え、
このタガ部材は、前記天井と一緒に上がるように、前記天井に被せられていることを特徴とする岩盤浴個室。
【請求項４】
請求項３記載の岩盤浴個室において、
前記天井は、長方形であって、複数個の天井パネルからなり、
前記タガ部材は、前記天井パネルに対応して分割されていることを特徴とする岩盤浴個室。
【発明の詳細な説明】
【技術分野】
【０００１】
本発明は、家庭の室内に設置することができる岩盤浴個室に関する。
【背景技術】
【０００２】
健康ランドと呼ばれる浴場に、岩盤浴が設置されるようになってきた。このような岩盤浴を、一般の家庭でも利用できるように、家庭の室内に設置できるような岩盤浴個室が各種提案されている（例えば、特許文献１参照）。
【０００３】
特許文献１を次図に基づいて説明する。
図８は従来の岩盤浴個室の基本構造を説明する図であり、岩盤浴個室１００は、床パネル１０１と、前壁パネル１０２と、左壁パネル１０３と、右壁パネル１０４と、奥壁パネル１０５と、天井パネル１０６とからなる箱体である。
【０００４】
床パネル１０１と前壁パネル１０２は連結金具１０７で機械的に連結されているため、床パネル１０１から前壁パネル１０２が外れることはない。
このような前壁パネル１０２に左壁パネル１０３が連結金具１０８で機械的に連結されているため、前壁パネル１０２から左壁パネル１０３が外れることはない。
また、前壁パネル１０２と天井パネル１０６は連結金具１０９で機械的に連結されているため、前壁パネル１０２から天井パネル１０６が外れることはない。
【０００５】
岩盤浴個室１００内には、適温の岩盤が設けられている。
利用者は前壁パネル１０２に設けられたドア１１１を開けて、岩盤浴個室１００内に入り、岩盤に身体を接触させ、発汗を促す。
このような岩盤浴個室１００は、家庭の室内に設置されるため、蒸気が漏れないように、気密構造とされる。
【０００６】
家庭用であるため、家人が出かけているときに、一人で利用することがある。このときに、万一、ドアノブ１１２が故障して、ドアノブ１１２が回らないというトラブルや、ドアノブ１１２は回るがロックが掛かったままであるというトラブルが発生することがある。
【０００７】
加えて、冬期には、家庭の室内が１８℃で、岩盤浴個室１００内は４０℃程度となる。  前壁パネル１０２が熱変形し、この変形が過大になるとドア１１１が開かなくなることがある。
何れの場合においても利用者は岩盤浴個室１００内に閉じこめられる。
【０００８】
岩盤浴個室１００内に、非常ボタンを設け、ベルやブザーを吹鳴させるような対策を講じることが考えられる。しかし、家人が出払っていれば、ベルやブザーは効果がない。家人が帰宅するのを待つしかない。
【０００９】
又は、左壁パネル１０３などの一部を脆弱部とし、この脆弱部を打ち壊して脱出するようにしてもよいが、打ち壊すと左壁パネル１０３などの交換や大掛かりな修理が必要となる。
【００１０】
家庭への普及を促す上で、非常ボタンや脆弱部に代わる有効な対策を講じた岩盤浴個室が望まれる。
【先行技術文献】
【特許文献】
【００１１】
【特許文献１】実用新案登録第３１３８３８５号公報
【発明の概要】
【発明が解決しようとする課題】
【００１２】
本発明は、非常ボタンや脆弱部に代わる対策を講じた岩盤浴個室を提供することを課題とする。
【課題を解決するための手段】
【００１３】
請求項１に係る発明は、床と、この床から起立する側壁と、この側壁の上端に渡した天井とからなり、前記側壁に開閉可能なドアを備え、前記床に岩盤部及びこの岩盤部を適温に保つ電熱ヒータを備え、前記ドアから入室した利用者は前記岩盤部に身体の一部を接触させることで発汗が促される岩盤浴個室において、
前記天井は、前記利用者の突き上げ作用で前記側壁から外れるように、前記側壁に嵌められていることを特徴とする。
【００１４】
請求項２に係る発明は、請求項１記載の岩盤浴個室であって、
前記側壁は、前記床から上に外れるように、前記床に嵌められており、且つ
前記ドアを備える前壁と、この前壁の左端から延びる左壁と、前記前壁の右端から延びる右壁と、この右壁の奥及び前記左壁の奥とに渡した奥壁とからなり、
前記前壁と前記左壁と前記右壁と前記奥壁とは、分離できるように、互いに嵌められていることを特徴とする。
【００１５】
請求項３に係る発明は、請求項２記載の岩盤浴個室であって、
使用中に、前記前壁及び前記奥壁から前記左壁及び前記右壁が分離することを防止するタガ部材を備え、
このタガ部材は、前記天井と一緒に上がるように、前記天井に被せられていることを特徴とする。
【００１６】
請求項４に係る発明は、請求項３記載の岩盤浴個室において、
前記天井は、長方形であって、複数個の天井パネルからなり、
前記タガ部材は、前記天井パネルに対応して分割されていることを特徴とする。
【発明の効果】
【００１７】
請求項１に係る発明では、天井は、利用者の突き上げ作用で側壁から外れるため、利用者は天井を外すことで岩盤浴個室から脱出できる。
すなわち、本発明により、非常ボタンや脆弱部に代わる対策を講じた岩盤浴個室が提供される。
【００１８】
請求項２に係る発明では、側壁を床から上へ抜くことができる。連結のためのビスやボルトは使用していない。素人でも、床に対して側壁を脱着することができる。
加えて、側壁は前壁と左壁と右壁と奥壁に分解することとができるため、分解、組立、運搬が容易である。
【００１９】
請求項３に係る発明では、タガ部材で、前壁及び奥壁から左壁及び右壁が分離することを防止する。タガ部材は、天井と一緒に上がるようになっている。
天井を上げると、側壁を前壁、奥壁、左壁及び右壁に分離することができる。
【００２０】
請求項４に係る発明では、天井は、長方形であって、複数個の天井パネルからなり、タガ部材は、天井パネルに対応して分割されている。分割されているため、天井パネル及びタガ部材が軽くなる。
【図面の簡単な説明】
【００２１】
【図１】本発明に係る岩盤浴個室の正面図である。
【図２】図１の２−２線断面図である。
【図３】図１の３−３線断面図である。
【図４】図１の４−４線断面図である。
【図５】側壁の分解斜視図である。
【図６】天井及びタガ部材の長手断面図である。
【図７】本発明に係る岩盤浴個室の作用図である。
【図８】従来の岩盤浴個室の基本構造を説明する図である。
【発明を実施するための形態】
【００２２】
本発明の実施の形態を添付図に基づいて以下に説明する。なお、図面は符号の向きに見るものとする。
【実施例】
【００２３】
図１に示すように、岩盤浴個室１０は、駆体床１１に立てる複数本（この例では４本）の脚１２と、これらの脚１２で支持される床２０と、この床２０から起立する側壁３０と、この側壁３０の上端に渡した天井６０と、この天井６０に上から被せたタガ部材７０とからなる。
【００２４】
側壁３０に開閉可能なドア３１を備え、利用者はドア３１を用いて岩盤浴個室１０に出入りする。
また、側壁３０の上部に排気口３２を備え、側壁３０の下部に給気口３３を備え、給気口３３から外気を取り込み、排気口３２から排気する。
【００２５】
給気口３３の下に水ミスト発生器３４を置き、この水ミスト発生器３４で発生した水ミストを岩盤浴個室１０へ供給するようにしてもよい。水ミスト発生器３４は、いわゆる加湿器であってもよく、岩盤浴個室１０内に配置してもよい。
【００２６】
また、水素吸引器と呼ばれる機器を岩盤浴個室１０内に配置してもよい。水素吸引器は、電気分解等により得た水素ガスを空気に混ぜ、チューブを介して利用者に吸引させる機器である。体内に存在する活性酸素は老化などを促すと言われており、活性酸素を水素ガスで還元して無害な水に変換することで、老化などを抑制する効果があると言われてる。
【００２７】
本例では、岩盤浴個室１０の長さＬを２１００ｍｍ程度、高さＨを９００ｍｍ程度とした。利用者は、床２０に寝た状態で岩盤浴個室１０を使用する。
なお、長さＬを９００ｍｍ程度、高さＨを１５００ｍｍ程度とし、利用者が座った状態で使用するようにしてもよい。この場合は、岩盤部（図３、符号２１）は腰の下や足の下に配置する。
【００２８】
図２に示すように、側壁３０は、ドア３１を備える前壁３５と、この前壁３５の左端から延びる左壁３６と、前壁３５の右端から延びる右壁３７と、この右壁３７の奥及び左壁３６の奥に渡した奥壁３８とからなる。
【００２９】
左壁３６は、発泡樹脂壁４１と、この発泡樹脂壁４１の両面に貼り付けた硬質樹脂板４２と、発泡樹脂壁４１の両端に設けた円柱状の柱４３とからなる。なお、柱４３も発泡樹脂製である。柱４３は、発泡樹脂壁４１に削りだしにより一体形成する他、接着剤で発泡樹脂壁４１に接合してもよい。柱４３は、縦溝４４を有する。
【００３０】
発泡樹脂壁４１は、軽量であり、断熱性に優れているが、表面が欠けやすい。硬質樹脂板４２で、発泡樹脂壁４１を保護することで、欠けを防止する。
左壁３６の重量は、４ｋｇ程度である。
【００３１】
右壁３７も、左壁３６と同様に、発泡樹脂壁４１と、硬質樹脂板４２と、柱４３とからなる。柱４３は、縦溝４４を有する。
右壁３７の重量も、４ｋｇ程度である。
【００３２】
前壁３５は、１枚もので差し支えないが、本例では、ドア３１が嵌るドア枠４６と、このドア枠４６の左側に配置する前小壁４７Ｌ（Ｌは左を示す添え字。以下同）と、ドア枠４６の右側に配置する前小壁４７Ｒ（Ｒは右を示す添え字。以下同）とで構成した。ドア枠４６の重量は、３ｋｇ程度である。
【００３３】
前小壁４７Ｌ、４７Ｒは、発泡樹脂壁４１と、この発泡樹脂壁４１の両面に貼り付けた硬質樹脂板４２とからなる。発泡樹脂壁４１の両端には、縦溝４４に嵌る突条４８が設けられている。前小壁４７Ｌ、４７Ｒの重量は、各１ｋｇ程度であり、手で前小壁４７Ｌ又は４７Ｒを掴んで上げることにより、図面奥から表側へ容易に引き抜くことができる。
【００３４】
【表１】
2020056193.tif 000003
【００３５】
上記の表に示すように、前壁３５が一枚ものであれば、その重量は１９ｋｇとなる。
実施例のように、分割されていれば、ドア３１が最も重くて７ｋｇであり、その他は１〜３ｋｇであるから、十分に軽い。
【００３６】
奥壁３８は、１枚もので差し支えないが、本例では、中央の奥中央壁５１と、この奥中央壁５１の左側に配置する奥小壁５２Ｌと、奥中央壁５１の右側に配置する奥小壁５２Ｒとで構成した。
【００３７】
奥中央壁５１は、左壁３６とほぼ同じ構造物であり、発泡樹脂壁４１と、硬質樹脂板４２と、柱４３とからなる。柱４３は、縦溝４４を有する。
奥中央壁５１の重量は、２ｋｇ程度である。
【００３８】
奥小壁５２Ｌ、５２Ｒは、発泡樹脂壁４１と、この発泡樹脂壁４１の両面に貼り付けた硬質樹脂板４２とからなる。発泡樹脂壁４１の両端には、縦溝４４に嵌る突条４８が設けられている。奥小壁５２Ｌ、５２Ｒの重量は、各１ｋｇ程度であり、手で奥小壁５２Ｌ又は５２Ｒを掴んで上げることにより、図面奥から表側へ容易に引き抜くことができる。
【００３９】
【表２】
2020056193.tif 000004
【００４０】
上記の表に示すように、奥壁３８が一枚ものであれば、その重量は４ｋｇとなる。
実施例のように、分割されていれば、奥中央壁５１が最も重くて２ｋｇであり、その他は１ｋｇであるから、十分に軽い。
【００４１】
図３に示すように、床２０は、軽金属の中空体であり、上面の中央に岩盤部２１を備え、この岩盤部２１の下に且つ中空体内に電熱ヒータ２２を備えている。床２０は更に、岩盤部２１を囲う汗受け溝２３を備えると共にこの汗受け溝２３の外位置にて下に開口する脚差し込み筒２４を備えている。この脚差し込み筒２４に軽金属製の脚１２を差し込む。脚差し込み筒２４は、十分な長さ（高さ）を有するため、差し込んだ後の脚１２が不安定になることはない。
すなわち、ビスや固定ボルトを使用することなく、脚１２に床２０を繋ぐことができる。
【００４２】
図４に示すように、前小壁４７Ｌと奥小壁５２Ｌは、下端にクッション収納切り欠き５３を有し、上端に天井収納切り欠き５４を有している。
床２０の上面に角断面のクッション材２５を貼り付けておく。このクッション材２５をクッション収納切り欠き５３に収納しつつ圧縮する。そのようにして、前小壁４７と奥小壁５２を床２０に載せる。クッション材２５のシール作用により、床２０と前小壁４７（又は奥小壁５２）との間から水ミストが漏れることはない。
【００４３】
天井６０は、発泡樹脂層６１と、この発泡樹脂層６１の下面に貼り付けた硬質樹脂板４２とからなる。このような天井６０に、上から透明又は半透明の硬質樹脂で形成したタガ部材７０を被せる。このタガ部材７０が発泡樹脂層６１の上面を保護するカバーを兼ねるため、発泡樹脂層６１の上面には硬質樹脂板４２を貼り付けない。結果、天井６０の軽量化と低コスト化とを図ることができる。
【００４４】
タガ部材７０の縁７１は、前小壁４７Ｌや奥小壁５２Ｌに掛かる（被さる）まで、下へ延びている。
【００４５】
以上の構成からなる岩盤浴個室１０の組立手順を、次に説明する。
図５に示すように、床２０は、６個の丸形ほぞ穴２６と２個の角形ほぞ穴２７を有している。
また、円柱状の柱４３は、下へ延びる円柱状のほぞ４３ａを備え、ドア枠４６は角筒状のほぞ４６ａを備えている。
【００４６】
先ず、床２０に脚１２を差し込む。これで、床２０は所定の高さに保たれる。
次に、丸形ほぞ穴２６に、円柱状のほぞ４３ａを差し込むようにして、床２０に左壁３６、右壁３７及び奥中央壁５１を取付ける。
次に、角形ほぞ穴２７に、角筒状のほぞ４６ａを差し込むようにして、床２０にドア枠４６を取付ける。後に、このドア枠４６にドア（図１、符号３１）を取付ける。
【００４７】
次に、突条４８を縦溝４４に嵌めるようにして、左壁３６と奥中央壁５１との間に奥小壁５２Ｌを差し込み、奥中央壁５１と右壁３７との間に奥小壁５２Ｒを差し込む。
次に、左壁３６とドア枠４６との間に前小壁４７Ｌを差し込み、ドア枠４６と右壁３７との間に前小壁４７Ｒを差し込む。
以上により、平面視で長方形枠状の天井収納切り欠き５４が得られ、この天井収納切り欠き５４に、後に、天井６０を上から嵌める。
【００４８】
止めビスや固定ボルトを使用してはおらず、単に差し込んであるだけであるから、何時でも、前小壁４７Ｌ、４７Ｒ又は奥小壁５２Ｌ、５２Ｒを上へ抜くことができる。
同様に、止めビスや固定ボルトを使用してはおらず、単に差し込んであるだけであるから、何時でも、左壁３６、右壁３７又は奥中央壁５１を床２０から上へ外すことができる。
【００４９】
図５に示す床２０が長方形を呈し、天井（図４、符号６０）も、図４奥へ延びるような長方形を呈する。
図６は天井の長手断面図であり、天井６０は、複数（例えば３個）に分割されている。この例では、天井６０は、中央天井パネル６３と、この中央天井パネル６３の左に配置される左天井パネル６４と、中央天井パネル６３の右に配置される右天井パネル６５とからなる。
【００５０】
中央天井パネル６３には、灯り取り窓６６が嵌められている。この灯り取り窓６６は透明なアクリル円板が好適である。
利用者は、岩盤浴中は、明るい環境よりも薄暗い環境を好む。薄暗い方が落ち着くからである。そこで、この実施例では、居室の照明光を、灯り取り窓６６から採り入れるようにした。
【００５１】
【表３】
2020056193.tif 000005
【００５２】
上記の表に示すように、天井６０が一枚ものであれば、その重量は４ｋｇとなる。
実施例のように、分割されていれば中央天井パネル６３が最も重くて２ｋｇであり、その他は１ｋｇであるから、十分に軽い。
【００５３】
図６において、タガ部材７０は、１枚もので差し支えないが、この例では、天井パネル６３、６４、６５に対応するように分割された中央タガ７３と、左タガ７４と、右タガ７５とからなる。
【００５４】
【表４】
2020056193.tif 000006
【００５５】
上記の表に示すように、タガ部材７０が一枚ものであれば、その重量は８ｋｇとなる。
実施例のように、分割されていれば中央タガ７３が最も重くて４ｋｇであり、その他は２ｋｇであるから、十分に軽い。
【００５６】
左タガ７４及び右タガ７５に上へ折り返したＬ字部４６を設け、中央タガ７３に下に開口するＵ字部７７を設けておく。Ｌ字部４６にＵ字部７７を嵌める。水平力（図６左右方向の力）がタガ部材７０に加わっても、中央タガ７３から左タガ７４及び右タガ７５が離れることはない。
すなわち、図２に示す左壁３６は左に外れ、右壁３７は右に外れる構造になっているが、図１に示すタガ部材７０の縁７１で、外れが防止され、側壁３０の形状が保たれる。
【００５７】
以上の構成からなる岩盤浴個室１０の作用を、図７に基づいて説明する。
図７（ａ）に示すように、利用者８０は、岩盤部２１に背中を接触させることで、岩盤部２１から熱を受け、発汗する。
ところで、図１において、長期間の使用により、ドア枠４６が変形し、ドア３１が開かなくなることがある。又は、ドアノブ５５が回らなくなって、ドア３１が開かなくなることがある。さらには、ドアノブ５５は回るが、ロックが解除できなくなることがある。
何れにおいても、図７（ａ）に示す利用者８０は、閉じ込められる。
【００５８】
利用者８０が見やすいところに、「ドアが開かないときは、天井を押し上げてください。」のような、案内板８１を貼っておく。案内板８１は左天井パネル６４の下面に貼り付けてもよい。
【００５９】
閉じこめられたときには、図７（ｂ）に示すように、利用者８０は腕を延ばして中央天井パネル６３を押し上げる。すると、中央タガ７３と共に中央天井パネル６３が押し上げられる。
【００６０】
次に、利用者８０は、図７（ｃ）に示すように、左タガ７４と共に左天井パネル６４を跳ね上げる。さらに、利用者８０は、想像線で示すように、奥小壁５２Ｌを引き上げる。以上により、利用者８０は、岩盤浴個室１０から脱出することができる。
【００６１】
ドア３１回りの不具合を解消した上で、奥小壁５２Ｌを元に戻し、左タガ７４と共に左天井パネル６４を元に戻し、中央タガ７３と共に中央天井パネル６３を元に戻すことで、図１に示す岩盤浴個室１０が復元できる。
すなわち、本発明によれば、非常ボタンや脆弱部を設けなくても、利用者が脱出することのできる岩盤浴個室１０が提供される。
【００６２】
本発明の岩盤浴個室１０は、利用者が脱出できることのほか、素人が分解、組立可能である点にも利点がある。
家族構成の変化に伴って、ある階に設置していた岩盤浴個室１０を、別の階に移したいという要望や、ある家に設置していた岩盤浴個室１０を、別の家に移したいという要望が発生する。
【００６３】
この場合、図８に示す従来の岩盤浴個室１００であれば、連結金具１０７〜１０９の取外し、解体、運搬、再組立、連結金具１０７〜１０９の取付けの一連の作業は、専門業者に委ねる必要がある。当然、移設費用が嵩む。
【００６４】
対して、本発明の岩盤浴個室１０であれば、連結金具を使用していないため、家人での移設が可能である。すなわち、図１に示すタガ部材７０を外し、天井６０を外す。
次に、図５にて、前小壁４７Ｌ、４７Ｒ及び奥小壁５２Ｌ、５２Ｒを外す。次に、左壁３６、右壁３７、奥壁３８及びドア枠４６を床２０から外す。次に、床２０から脚１２を外す。
移動した後に、移動先にて、逆の順序で組立てることにより、図１の岩盤浴個室１０を得る。
【００６５】
【表５】
2020056193.tif 000007
【００６６】
上記の表に示すように、岩盤浴個室１０は、脚１２と、床２０と、前壁３５と、左壁３６と、右壁３７と、奥壁３８と、天井６０と、タガ部材７０とに分割化能である。
床２０は、１９ｋｇであり、１人での運搬が不可能ではないが、２人での運搬が推奨される。
【００６７】
前壁３５は、一枚ものであれば１９ｋｇであり、１人での運搬が不可能ではないが、２人での運搬が推奨される。運搬の負担を軽くするために、ドア枠４６とドア３１と前小壁４７Ｌ、４７Ｒに分割することがなお推奨される。
【００６８】
奥壁３８は、４ｋｇと軽いため、１枚もので差し支えないが、奥中央壁５１と、奥小壁５２Ｌ、５２Ｒに分割することで、運搬の負担をより軽減することができる。
【００６９】
天井６０は４ｋｇと軽量であるが、８ｋｇのタガ部材７０が載っているため、実施例のように中央天井パネル６３と、左天井パネル６４と、右天井パネル６５とに分割することが推奨される。
【００７０】
すなわち、表中に※印を付した前壁３５、奥壁３８、天井６０及びタガ部材７０は、更に分割できることが望まれるが、各々１枚ものであっても差し支えない。
【００７１】
なお、実施例では、脚１２により、床２０を駆体床１１から一定距離離した。これにより、床２０をベッドの高さにすることができ、膝や腰が悪い利用者にとって利便性が高まる。
しかし、脚１２を廃して、床２０を駆体床１１に直接載せることは差し支えない。
【００７２】
また、天井６０だけが側壁３０から上に外れる構造は、実施例の他、床２０に側壁３０を機械的に連結したものであってもよい。ただし、連結した場合は、利用者が側壁３０を跨ぐ必要がある。
この点、実施例であれば、天井６０の次に側壁３０の一部を床２０から外すことができるため、側壁３０を跨ぐ必要が無く、より好ましい。
【００７３】
また、岩盤浴個室１０は、１人用の他、複数人が同時に使用できるものであってもよい。要は、ロックできるドア３１を備えた密室状の部屋であればよい。
【００７４】
本発明は、閉じこめられた利用者８０が、簡単に脱出することができる岩盤浴個室１０を提供することを第１の目的とし、専門業者ではない素人が運搬、組立、分解ができる岩盤浴個室１０を提供することを第２の目的とする。
第１の目的は、図７で説明したように、天井６０の一部（中央天井パネル６３及び／又は左天井パネル６４）が上に外れることで、達成できる。
【００７５】
よって、天井６０の全てが側壁３０から外れる他、天井６０の一部が側壁３０から外れるようにしてもよい。
すなわち、実施例の他、図７（ａ）において、左天井パネル６４と右天井パネル６５を側壁３０に機械的に連結し、中央天井パネル６３だけが上に外れるようにしてもよいし、右天井パネル６５を側壁３０に機械的に連結し、中央天井パネル６３と左天井パネル６４が上に外れるようにしてもよい。
【００７６】
天井６０の一部は、中央天井パネル６３（又は左天井パネル６４）に上から嵌めるマンホール蓋であってもよい。この場合は、利用者８０はマンホール蓋を突き上げ外すため、中央天井パネル６３（又は左天井パネル６４）は側壁３０に機械的に連結することが可能であり、中央天井パネル６３（又は左天井パネル６４）は側壁３０の一部とみなす。
【産業上の利用可能性】
【００７７】
本発明は、ドアを備える岩盤浴個室に好適である。
【符号の説明】
【００７８】
１０…岩盤浴個室、２０…床、２１…岩盤部、２２…電熱ヒータ、３０…側壁、３１…ドア、３５…前壁、３６…左壁、３７…右壁、３８…奥壁、６０…天井、６３…中央天井パネル、６４…左天井パネル、６５…右天井パネル、７０…タガ部材、７３…中央タガ、７４…左タガ、７５…右タガ、８０…利用者。
【図１】
2020056193.tif 000008
【図２】
2020056193.tif 000009
【図３】
2020056193.tif 000010
【図４】
2020056193.tif 000011
【図５】
2020056193.tif 000012
【図６】
2020056193.tif 000013
【図７】
2020056193.tif 000014
【図８】
2020056193.tif 000015